(57)【要約】【課題】手摺支柱埋込用のシース管において、シース管の外側面及び内側面の形状を新規に開発して、外側面及び内側面ともにコンクリートの流れを塞がない形状となし、該シース管の外側面及び内側面ともにコンクリートの密着性を向上させた手摺支柱取付のための強固なシース管を提供する。【解決手段】手摺の支柱を取付けるため予めコンクリート躯体に埋め込むシース管は、シース管材、下部キャップ、ボルト螺着用ナットの３部品の組み合わせにて構成され、該シース管のシース管材部分は平断面形状で外側面及び内側面に略凹凸形状を連続的に有したコルゲート模様或いは波形模様を縦長方向に設けたシース管材からなる。【選択図】図１ｃ
2008031750.tif 000002
【特許請求の範囲】
【請求項１】
手摺の支柱を取付けるため予めコンクリート躯体に埋め込むシース管は、シース管材、下部キャップ、ボルト螺着用ナットの部品の組み合わせにて構成され、
該シース管のシース管材部分は平断面形状で外側面及び内側面に略凹凸形状を連続的に有したコルゲート模様或いは波形模様を縦長方向に設けたシース管材からなること、
を特徴とする手摺支柱埋込用のシース管。
【請求項２】
手摺の支柱を取付けるため予めコンクリート躯体に埋め込むシース管は、シース管材、下部キャップ、ボルト螺着用ナットの部品の組み合わせにて構成され、
該シース管のシース管材部分は平断面形状で外側面及び内側面に略凹凸形状を連続的に有したコルゲート模様或いは波形模様を有するシース管材となし、  
該シース管材の底辺部が下部キャップに繋がれる際に該シース管材の下部縁部が下部キャップの内側縁部に設けられた縁部平面形状の蓋体に当接する構成となし、
前記シース管材の外側面及び内側面に設けられたコルゲート模様或いは波形模様の略凹凸形状に関係なくシース管材の下部縁部を下部キャップ蓋体にて塞ぐこと、
を特徴とする手摺支柱埋込用のシース管。
【請求項３】
前記下部キャップの縁部全周に水平方向のリブを設け、
該リブを有する下部キャップと嵌着固定されるシース管材からなるシース管をコンクリート躯体内に埋込固定すること、
を特徴とする請求項１または請求項２に記載の手摺支柱埋込用のシース管。
【請求項４】
前記シース管材の底辺部が繋がる下部キャップの組み込み縁部には略凹凸形状を有したシース管材の外径部が挿着される際に該シース管材の下部縁部が下部キャップの内側縁部に設けられた縁部平面形状の蓋体に当接される構成とするか、
または、前記下部キャップのシース管材組み込み縁部を前記略凹凸形状を有したシース管材の外側部或いは内側部に隙間なく嵌着されるようにシース管材の平断面形状と同様のコルゲート模様或いは波形模様の略凹凸形状に構成したこと、  を特徴とする請求項１乃至請求項３の何れかに記載の手摺支柱埋込用のシース管。
【請求項５】
前記シース管材または下部キャップはプラスチック等の合成樹脂成型品にて製作されていること、  
を特徴とする請求項１乃至請求項４の何れかに記載の手摺支柱埋込用のシース管。
【発明の詳細な説明】
【技術分野】
【０００１】
本発明はＰＣ造、ＲＣ造にて製作される集合住宅等において、バルコニー手摺や廊下手摺を設置する際に用いられる手摺支柱埋め込み用のシース管に関するものである。
【背景技術】
【０００２】
手摺支柱を埋込固定するためのアンカー用埋設孔の形成に関する工法は従来から、実用新案登録第２５９６５８３号公報（以下特許文献１と称する）と特開２００２−２９４９６５号公報（以下特許文献２と称する）が知られている。
【０００３】
特許文献１は、所定寸法の埋設穴に応じたゴム等の弾性変形可能な成型部材と、同成型部材の内側に挿嵌される保形部材と、この保形部材の上部に固着され把持部を備えた上蓋と、前記成形部材の下開口を封止する底蓋とを備えたコンクリート構造物における柱体埋設用穴の形成治具において、前記ゴム等からなる成形部材は、内周壁面が下方に行くに従って断面開口形状が縮小していくテーパー形状を備え、前記保形部は、前記成形部材の前記内周壁面に沿うテーパー面を有する中空状部材であり、前記底蓋は、先端にネジ溝を備えた連結部材を立設固着し、前記上蓋の蓋体は、前記連結部材の前記ネジ溝が挿嵌される嵌通孔を備えるとともに、該蓋体は前記成形部材に固着されており、更に、前記ネジ溝に螺合するナット部材を配したことを特徴とするコンクリート構造物における柱体埋設用穴の形成治具である。
【０００４】
而して、特許文献１において開示された柱体埋設用穴の形成治具は、コンクリート固化養生後、形成枠を取外すとともに、位置決め補助部材も取り外した後に、治具のナット部材を取り外し、底蓋と保形部材との結合状態を解除する。
【０００５】
そして、保形部材の把握部を把握して引き上げると、成型部材部分はその隆起部が埋設穴の凹部に係合しているので、この保形部材のみが抜きさられ、成型部材は構造物に残ることになる。この際、両部材の接触面には、挿入方向に先細りとなるテーパーを設けていることにより、引き抜き開始時にのみ強力な引き抜き力を必要とすることになり、抜取り作業が容易に行える。
【０００６】
次にナット部材を再び、底蓋の連結部材に取付、このナット部材を把握して引上げたり、また場合によっては、このナット部材のリングに鈎を引っかけて釣り上げることにより、成型部材を弾性変形させながら、埋設穴から成型部材を抜き取ることが容易にできると、云うもので、通称、チューブアンカー工法と称されているものである。
【０００７】
然しながら、前記、特許文献１の従来例に記載された外形状の弾性可変可能なゴム製の成形部材、並びにスチール製の保形部材は、固化養生後のコンクリートからの剥離性が悪く、また、ゴム製の成型部材は肉厚も厚いために、コンクリート構造物からの剥離作業は、引き抜き開始時に強力な引き抜き力を必要とし、最終的にはバール等によるこじ開け作業となるケースがあり、作業効率が非常に悪くコンクリート固化養生後、保形部材の抜き取り並びに、成型部材を弾性変形させながら、埋設穴から成型部材を抜き取ることが思いのほか容易ではないことが、解ってきた。
【０００８】
特に上記成型部材と保形部材のコンクリートからの抜き取り作業は、ＰＣ工場等では、専用の治具や工具を工夫して行うことで、ある程度の効率を上げることも可能であるが、ＲＣ造の建物に使用される場合にあっては、その効率は現場作業であることから半減してしまう欠点がある。
【０００９】
また、特許文献１の従来例は、コンクリート充填圧や、抜き取り時の引き抜き力に対向できるゴム厚を保有した成型部材や、前記同様の力に対向できるスチール製の保形部材の組み合わせから構成されており、該特許文献１において開示された柱体埋設用穴の形成治具は、全体が堅牢で非常に重いものになり、ＲＣ造の建物に使用される場合には、該治具の荷揚げや、設置場所への配置や取付作業が非常に大変で、現場施工のＲＣ造向きではない等の欠点がある。
【００１０】
次に、特許文献２において開示された従来例は、手摺の支柱を取付けるために躯体にに埋め込まれるシース管に関するもので、所謂、シース管工法と云われるものの一例である。
【００１１】
前記特許文献２の構成は、シース管の内側面及び外側面に縦方向に延びる多数のリブ形状からなる突条部を設けた手摺用シース管であり、前記シース管の下部に水平方向の突出片を設けた底部材を嵌着、固定したもの、また、前記シース管の管体がアルミニュウムの押出材からなり、底辺部がアルミニュウムのプレス加工品からなるものである。
【００１２】
而して、上記構成を有する引用文献２の発明のシース管は、コンクリートの躯体に埋め込まれると、前記外側面に縦方向に延びる多数のリブ形状からなる突条部が管体とコンクリート間のアンカー作用を示し、また、前記底部材の突出片がシース管を所定位置に固定する役割を果たし、これらの相乗効果により、シース管とコンクリートとの剥離が防止され、手摺取付のための強固なベースが構成されると、云うものである。
【００１３】
また、引用文献２の従来例は、シース管がアルミ押出材製の管体、並びにアルミニウム板のプレス加工品からなる底部材の組み合わせにより構成され、腐蝕に強いオールアルミ材を材料として用いることにより、該シース管をコンクリート打設時に躯体内の所定位置に埋設して蓋をし、コンクリートの固化後、前記蓋を外して手摺支柱埋没孔を形成するもので、該シース管はオールアルミで形成されていることから、前記引用文献１の従来例に比較して非常に軽いものであり、ＲＣ造の建物に使用される場合にあっても、現場作業内での荷揚げや、設置場所への配置、取付作業が効率よく行える。
【００１４】
更にまた、引用文献２の従来例においては、シース管自体をコンクリート躯体内に埋設して、手摺支柱埋没孔を形成する工法であることから、前記引用文献１の如く、手摺支柱埋没孔を形成するためにコンクリート躯体内に配置したゴム製の成型部材や、スチール製の保形部材をコンクリートの固化後に引き抜いて撤去するという厄介な作業を必要としない。
【００１５】
斯くして、本発明は、上記引用文献１に示したチューブアンカー工法、並びに引用文献２に示したシース管工法を比較検討した結果、手摺支柱埋設用の孔を形成するためにコンクリート躯体内に配置したゴム製の成型部材や、保形部材をコンクリートの固化後に引き抜くという厄介な作業を必要とせず、作業効率の良い引用文献２に記載されたシース管工法を採用し、該従来のシース管工法を改良して、より使いやすく作業効率が大幅にアップする手摺支柱埋込用のシース管を得ることを目的とする。
【００１６】
引用文献２の従来例における構成は、シース管の内側面及び外側面に縦方向に延びる多数の突条部を設けた手摺用シース管であり、前記シース管の下部に水平方向の突出片を設けた底部材を嵌着、固定したもの、また、前記シース管の管体がアルミニュウムの押出材からなり、底辺部がアルミニュウムのプレス加工品からなるものである。
【００１７】
而して、引用文献２の従来例では、シース管の内側面及び外側面に縦方向に延びる多数のリブ形状の突条部を設けた手摺用シース管であるために、コンクリート打設時に土厚力で流し込まれるコンクリートが、内側面及び外側面に縦方向に延びる多数の突条部に馴染まなく、該コンクリートと縦方向の多数の突条部間に巣が発生して密着度が悪くなり手摺支柱取付のための強固なベースが形成されない欠点がある。
【００１８】
斯くして、上記の如く手摺支柱取付のための強固なベースが形成されないと手摺の固定強度が十分に得られず危険な手摺を施工してしまうことになる。
【００１９】
また、引用文献２の従来例では、内側面及び外側面に縦方向に延びる多数の突条部を有する管体の下部に底部材を嵌め込みシース管を形成するに際し、該底部材と突条部の繋ぎ目部位には外側面がリブ形状の突条部になっている構造上からの欠点である間隙が生じる。
【００２０】
そして、上記底部材と突条部の繋ぎ目の隙間は、シース管をコンクリート躯体形成位置に設置して、コンクリートを打設すると、該コンクリートの打設時にペースト状のモルタルが流入して、そのまま、シース管内で固化することになる。
【００２１】
斯くして、シース管内で固化したモルタルは、該シース管内に設置される支柱の高さや、レベルを調整する際に悪影響を与え、場合によっては固化したモルタルを除去するためにハツリ工事に類似した厄介な作業を強いられる欠点がある。
【００２２】
また、シース管内で固化したモルタルはコンクリート型枠等の設置時に取付られたボルトのネジ孔等にも浸入して取り外しを困難にする等の欠点を生じせしめている。
【特許文献１】実用新案登録第２５９６５８３号公報
【特許文献２】特開２００２−２９４９６５号公報
【発明の開示】
【発明が解決しようとする課題】
【００２３】
斯くして、本発明が解決しようとする課題は、手摺支柱埋込用のシース管において、シース管の外側面及び内側面の形状を新規に開発して、外側面及び内側面ともにコンクリートの流れを塞がない形状となし、該シース管の外側面並びに内側面（内側面は、支柱立設時にモルタルを充填）ともにコンクリートの密着性を向上させた手摺支柱取付のための強固なシース管を提供するものである。
【００２４】
また、本発明が解決しようとする課題は、引用文献２の従来例において、管体と底部材を繋いでシース管を形成するに際し、該底部材と管体の突条部の繋ぎ目には管体の外側面が突条部形状になっている構成上から間隙が生じてしまう構成となり、該繋ぎ目の隙間は、シース管をコンクリート躯体形成位置に設置してコンクリートを打設すると、該コンクリートの打設時にペースト状のモルタルが隙間より流入して、そのまま、シース管内で固化してしまい、該シース管内に設置される支柱の高さや、レベルを調整する際に悪影響を与ることを防止したシース管を提供する。
【００２５】
また、シース管内で固化したモルタルは、コンクリート型枠等の設置時に取付られたボルトのネジ孔等にも浸入して取り外しを困難にするために、この欠点をなくした手摺支柱取付のための強固なシース管を提供するものである。
【課題を解決するための手段】
【００２６】
本発明において、手摺の支柱を取付けるため予めコンクリート躯体に埋め込むシース管は、シース管材、下部キャップ、ボルト螺着用ナット部品の組み合わせにて構成され、該シース管のシース管材部分は平断面形状で外側面及び内側面に略凹凸形状を連続的に有したコルゲート模様或いは波形模様を縦長方向に設けたシース管材からなることを重要な特徴としている。
【００２７】
そして、本発明は、前記、シース管材に設けられた平断面形状で外側面及び内側面に略凹凸形状を連続的に有したコルゲート模様、或いは波形模様により、シース管の外側面及び内側面ともにコンクリートの打設時、及び充填時に該コンクリートの流れを塞がない形状となし、また、前記シース管材に設けた略凹凸形状のコルゲート模様、或いは波形模様にてシース管とコンクリート接触面を大きくとって、前記シース管の外側面及び内側面ともにコンクリートの密着性を向上させて手摺支柱取付のために強固にコンクリート躯体内に埋め込まれたシース管を提供するものである。
【００２８】
更に、上記シース管は、手摺支柱を埋込支柱を固定するためにモルタルや、無収縮モルタルをシース管に充填する際にも、前記モルタルや、無収縮モルタルがシース管内の内側面にしっかりと密着されて固化するために手摺支柱を強固に取付することが可能なシース管を提供するものである。
【００２９】
また、本発明において、手摺の支柱を取付けるため予めコンクリート躯体に埋め込むシース管は、シース管材、下部キャップ、ボルト螺着用ナットの部品の組み合わせにて構成され、該シース管のシース管材部分は平断面形状で外側面及び内側面に略凹凸形状を連続的に有したコルゲート模様或いは波形模様を有するシース管材となし、該シース管材の底辺部が下部キャップに繋がれる際に該シース管材の下部縁部が下部キャップの内側縁部に設けられた縁部平面形状の蓋体に当接する構成となし、前記シース管材の外側面及び内側面に設けられたコルゲート模様或いは波形模様の略凹凸形状に関係なくシース管材の下部縁部を下部キャップ蓋体にて塞ぐ構成を特徴としている。
【００３０】
而して、上記構成は、シース管材と下部キャップ間の繋ぎ目に隙間ができない構成で、本発明のシース管をコンクリート躯体形成位置に設置してコンクリートを打設すると、該コンクリートの打設時にペースト状のモルタルが隙間から流入してシース管内で固化してしまい、該シース管内に設置される支柱の高さや、レベルを調整する際に悪影響を与え、また、シース管内で固化したモルタルはコンクリート型枠等の設置時に取付られたボルトのネジ孔等にも浸入して取り外しを困難にする等の従来のシース管の欠点を解決した手摺支柱取付のための強固なシース管を提供するものである。
【００３１】
また、本発明は、前記下部キャップの縁部全周に水平方向のリブを設け、該リブを有する下部キャップと嵌着固定されるシース管材からなるシース管をコンクリート躯体内に強固に埋込固定することを特徴としている。
【００３２】
また、本発明におけるシース管材の底辺部が繋がる下部キャップの組み込み縁部は、略凹凸形状を有したシース管材の外径部が挿着される際に該シース管材の下部縁部が下部キャップの内側縁部に設けられた縁部平面形状の蓋体に当接される構成とするか、または、前記下部キャップのシース管材組み込み縁部を前記略凹凸形状を有したシース管材の外側部或いは内側部に隙間なく嵌着されるようにシース管材の平断面形状と同様のコルゲート模様或いは波形模様の略凹凸形状に構成したことを特徴とする。
【００３３】
更にまた、本発明において、シース管材、または下部キャップは、プラスチック等の合成樹脂成型品にて製作されていることを特徴とする。
【発明の効果】
【００３４】
斯くして、本発明は、手摺支柱埋込用のシース管において、シース管の外側面及び内側面の形状を新規に開発して、外側面及び内側面ともにコンクリートの流れを塞がない形状となし、コンクリート打設時や、モルタル充填時に、該シース管の外側面及び内側面ともにコンクリートの密着性を向上させた手摺支柱取付のための強固なシース管を提供することができた。
【００３５】
また、本発明において、手摺の支柱を取付けるため予めコンクリート躯体に埋め込むシース管は、シース管材、下部キャップ、ボルト螺着用ナットの部品の組み合わせにて構成され、該シース管のシース管材部分は平断面形状で外側面及び内側面に略凹凸形状を連続的に有したコルゲート模様、或いは波形模様を有するシース管材となし、該シース管材の底辺部に下部キャップを繋げる際に、該シース管材の下部縁部が下部キャップの内側縁部に設けられた縁部平面形状の蓋体に当接する構成となし、前記シース管材の外側面及び内側面に設けられたコルゲート模様、或いは波形模様の略凹凸形状に関係なくシース管材の下部縁部を下部キャップ蓋体にて塞ぐことにより、該シース管材と下部キャップの繋ぎ目からコンクリートの打設時にペースト状のモルタルが流入して、そのまま、シース管内で固化してしまい、該シース管内に設置される支柱の高さや、レベルを調整する際に悪影響を与え、また、シース管内で固化したモルタルはコンクリート型枠等の設置時に取付られたボルトのネジ孔等にも浸入して取り外しを困難にする等の欠点を解決した手摺支柱取付のための使いやすいシース管を提供することができた。
【００３６】
更にまた、本発明は、シース管をアルミ形材や、プラスチック等の合成樹脂成形にて製作することにより、機能性の良いシース管を安価で大量生産可能とし、該シース管は軽量化されて現場搬入や荷揚げ、間配り等作業効率の良いシース管を製作可能である。
【発明を実施するための最良の形態】
【００３７】
本発明において、手摺の支柱を取付けるため予めコンクリート躯体に埋め込むシース管は、シース管材、下部キャップ、ボルト螺着用ナットの部品の組み合わせにて構成され、該シース管のシース管材部分は平断面形状で外側面及び内側面に略凹凸形状を連続的に有したコルゲート模様或いは波形模様を縦長方向に設けたシース管材から構成されていることが好ましい。
【００３８】
また、本発明において、手摺の支柱を取付けるため予めコンクリート躯体に埋め込むシース管は、シース管材、下部キャップ、ボルト螺着用ナットの部品の組み合わせにて構成され、該シース管のシース管材部分は平断面形状で外側面及び内側面に略凹凸形状を連続的に有したコルゲート模様、或いは波形模様を有するシース管材となし、該シース管材の底辺部が下部キャップに繋がれる際に該シース管材の下部縁部が下部キャップの内側縁部に設けられた縁部平面形状の蓋体に当接する構成となし、前記シース管材の外側面及び内側面に設けられたコルゲート模様或いは波形模様の略凹凸形状に関係なくシース管材の下部縁部を下部キャップ蓋体にて塞ぐ構成とすることが好ましい。
【００３９】
また、本発明は、下部キャップの縁部全周に水平方向のリブを設け、該リブを有する下部キャップと嵌着固定されるシース管材からなるシース管をコンクリート躯体内に埋込固定する構成とすることが好ましい。
【００４０】
また、本発明において、シース管材の底辺部が繋がる下部キャップの組み込み縁部は、略凹凸形状を有したシース管材の外径部が挿着される際に該シース管材の下部縁部が下部キャップの内側縁部に設けられた縁部平面形状の蓋体に当接される構成とするか、または、前記下部キャップのシース管材組み込み縁部を前記略凹凸形状を有したシース管材の外側部或いは内側部に隙間なく嵌着されるようにシース管材の平断面形状と同様のコルゲート模様或いは波形模様の略凹凸形状に構成したことが好ましい。
【００４１】
更にまた、本発明において、シース管材、または下部キャップは、プラスチック等の合成樹脂成型品にて製作されていることが好ましい。
【実施例１】
【００４２】
図１乃至図７は本発明のシース管を示す実施例１の説明図であり、図１ａは平面図、図１ｂはその側面図、図１ｃは縦断面図を示している。また、図２は、実施例１の全体形状を示す斜視説明図、図３ａは上記シース管を構成するシース管材の形状を示す平面図、図３ｂはその側面図である。
【００４３】
更に、図４ａ乃至図４ｄはシース管材の外側面及び内側面に設けられる略凹凸形状のコルゲート模様或いは波形模様の形状例を示す平面図、図５は上記シース管材の下部に組み込まれ、固定される下部キャップの形状を示す斜視説明図、図６及び図７はシース管材に下部キャップの挿着された状態を示す説明図である。
【００４４】
図１乃至図７において、１はシース管材、２は下部キャップ、３はボルト螺着用ナットを示し、実施例１のシース管４は、上記３部材の組み合わせにより構成されている。
【００４５】
而して、前記シース管材１はアルミ押出型材から形成されており、該シース管材１の外側面５、並びに内側面６にはそれぞれ略凹凸形状のコルゲート模様或いは波形模様の突起７ａ、７ｂ、７ｃ・・・、突起８ａ、８ｂ、８ｃ・・・がその長手方向縦長に設けられており、該シース管材１の断面形状は図１ａ、及び図３ａのシース管材１の平面図の如く平均肉厚を有した周囲が柔らかい略凹凸形状を有している。
【００４６】
また、前記下部キャップ２は、アルミ板材のプレス加工やプラスチック等の合成樹脂成形加工により製作されるもので、下部キャップ２の縁部全周に水平方向のリブ９が設けられている。また、下部キャップ２には、前記外側面５、及び内側面６に略凹凸形状を有したシース管材１が組み込まれるシース管材組み込み縁部１０が設けられており、該組み込み縁部１０にシース管材１が組み込まれ繋がれる際に、該シース管材１の下部縁部１１が下部キャップ２の内側縁部に設けられた縁部平面形状の蓋体１２に当接するよう構成されている（この形状は図６及び図７に拡大して図示している）。
【００４７】
尚、１３はキャップ底部であり、該キャップ底部１３の下端部にはシース管４コンクリート躯体に埋め込む際に用いられる固定用ボルトを螺着するボルト螺着用ナット３が一体化して取付られいる。また、１４はシース管材１に下部キャップ２を組み込んで固定し一体化するためのカシメであり、該カシメ１４はビス止め等他の手段を用いることも可能である。
【００４８】
また、実施例１のシース管４は例えば手摺支柱が５０ｍｍ角の形状といった部材用で、該手摺支柱部材用のシース管材１は、図４ａの如く略同一形状のコルゲート形状が繰り返して設けられているもの、図４ｂの如く角部のみ大きなＲ形状に形成されているもの、図４ｃの如く外側面５及び内側面６の略凹凸形状が前記図４ａの形状と逆転した形に形成されているもの、更には、図４ｄの如く波形形状の略凹凸形状を有しているものが考えられる。
【００４９】
即ち、シース管材１の外側面５及び内側面６に形成される略凹凸形状のコルゲート模様或いは波形模様の突起７ａ、７ｂ、７ｃ・・・、突起８ａ、８ｂ、８ｃ・・・は、前記特許文献２に記載された細かいリブ状突起とは異なり、前記外側面５及び内側面６の形状ともコンクリートの流れを塞がない形状となし、該シース管４の外側面５及び内側面６ともに打設や充填されるコンクリートとの密着性を向上させた手摺支柱取付のための強固なシース管を提供することができる。
【００５０】
而して、本発明の実施例１において、手摺の支柱を取付けるため予めコンクリート躯体に埋め込むシース管４は、シース管材１、下部キャップ２、ボルト螺着用ナット３の部品の組み合わせにて構成され、該シース管４のシース管材１部分は平断面形状で外側面５及び内側面６に略凹凸形状を連続的に有したコルゲート模様或いは波形模様の突起７ａ、７ｂ、７ｃ・・・、突起８ａ、８ｂ、８ｃ・・・を縦長方向に設けたシース管材１からなる。
【００５１】
また、実施例１おいて、手摺の支柱を取付けるため予めコンクリート躯体に埋め込むシース管４は、シース管材１、下部キャップ２、ボルト螺着用ナット３の部品の組み合わせにて構成され、該シース管４のシース管材１の部分は平断面形状で外側面５及び内側面６に略凹凸形状を連続的に有したコルゲート模様或いは波形模様を有するシース管材１となし、該シース管材１の底辺部が下部キャップに繋がれる際に該シース管材１の下部縁部１１が下部キャップ２の内側縁部に設けられた縁部平面形状の蓋体１２に当接する構成となし、前記シース管材１の外側面５及び内側面６に設けられたコルゲート模様或いは波形模様の略凹凸形状に関係なくシース管材４の下部縁部を下部キャップ２の蓋体１２にて塞ぐ構成とした。
【００５２】
また、実施例１の前記下部キャップ２の縁部全周に水平方向のリブ９を設け、該リブ９を有する下部キャップ２と嵌着固定されるシース管材１からなるシース管４をコンクリート躯体内に強固に埋込固定する構成とした。
【実施例２】
【００５３】
図８及び図９は、本発明に係るシース管の他の実施例２を示す説明図であり、図８ａは平面図、図８ｂは側面図、図８ｃは縦断面図、図９は図８の全体形状を示す斜視説明図である。
【００５４】
図８及び図９において、前記図１乃至図７と同一符号は、同一構成要素を示しており、１はシース管材、２は下部キャップ、３はボルト螺着用ナットを示し、実施例２のシース管４は、上記部材の組み合わせにより構成されている。
【００５５】
そして、実施例２のシース管４は、例えば手摺支柱が４０ｍｍ×６０ｍｍの平角形状といった支柱部材用で、該手摺の支柱を取付けるため予めコンクリート躯体に埋め込むシース管４は、シース管材１、下部キャップ２、ボルト螺着用ナット３の部品の組み合わせにて構成され、該シース管４のシース管材１部分は平断面形状で外側面５及び内側面６に略凹凸形状を連続的に有したコルゲート模様或いは波形模様を有するシース管材１となし、該シース管材１の底辺部に嵌着固定される前記下部キャップ２は外側面５及び内側面６に略凹凸形状を有したシース管材１が嵌着された際に該シース管材１の下部縁部１１が下部キャップ２の内側縁部に設けられた縁部平面形状の蓋体１２に当設する図６及び図７にて示す構成となし、前記シース管材１の外側面５及び内側面６に設けられた略凹凸形状有したコルゲート模様、或いは波形模様の突起７ａ、７ｂ、７ｃ・・・、突起８ａ、８ｂ、８ｃ・・・の略凹凸形状に関係なくシース管材１の下部縁部１１を下部キャップ２の蓋体１２にて蓋をする構成とした。
【実施例３】
【００５６】
図１０乃至図１１は、本発明に係るシース管の下部キャップの実施例３を示す説明図であり、図１１は下部キャップの形状を説明する斜視図、また、図１２は他の下部キャップ形状例を示す斜視説明図である。
【００５７】
図１０乃至図１１において、図１乃至図９と同一符号は同一構成要素しめし、２は下部キャップ、１４はカシメ等、シース管材１（図示せず）との嵌着固定手段である。
【００５８】
而して実施例３の図１１において、下部キャップ２は、プラスチック等の合成樹脂成形にて製作し、該下部キャップ２は外側面５及び内側面６に略凹凸形状を有したシース管材１が挿着された際に該シース管材１の下部縁部１１が下部キャップ２の内側縁部に設けられた縁部平面形状の蓋体１２に当接する構成とした。
【００５９】
また、実施例３の図１２において、下部キャップ２は、上記同様にプラスチック等の合成樹脂成形にて製作し、該下部キャップ２は、外側面５及び内側面６に略凹凸形状を有したシース管材１が嵌着された際に、下部キャップ２の縁部１５を前記外側面５及び内側面６に略凹凸形状を有したシース管材１が隙間なく嵌着されるようシース管材１の平断面形状と同様のコルゲート模様、或いは波形模様の略凹凸形状に構成したものである。
【産業上の利用可能性】
【００６０】
斯くして、本発明は、手摺支柱埋込用のシース管において、シース管の外側面及び内側面の形状を新規に開発して、外側面及び内側面ともにコンクリートの流れを塞がない形状となし、コンクリート打設時や、モルタル充填時に、該シース管の外側面及び内側面ともにコンクリートの密着性を向上させた手摺支柱取付のための強固なシース管を提供することができる。
【００６１】
また、本発明において、手摺の支柱を取付けるため予めコンクリート躯体に埋め込むシース管は、シース管材、下部キャップ、ボルト螺着用ナットの部品の組み合わせにて構成され、該シース管のシース管材部分は平断面形状で外側面及び内側面に略凹凸形状を連続的に有したコルゲート模様、或いは波形模様を有するシース管材となし、該シース管材の底辺部に下部キャップが嵌着される際に該シース管材の下部縁部が下部キャップの内側縁部に設けられた縁部平面形状の蓋体に当接する構成となし、前記シース管材の外側面及び内側面に設けられたコルゲート模様、或いは波形模様の略凹凸形状に関係なくシース管材の下部縁部を下部キャップ蓋体にて塞ぐことにより、該シース管材と下部キャップの繋ぎ目からコンクリートの打設時にペースト状のモルタルが流入して、そのまま、シース管内で固化してしまい、該シース管内に設置される支柱の高さや、レベルを調整する際に悪影響を与え、また、シース管内で固化したモルタルはコンクリート型枠等の設置時に取付られたボルトのネジ孔等にも浸入して取り外しを困難にする等の欠点を解決した手摺支柱取付のための使いやすいシース管を提供することができる。
【００６２】
更にまた、本発明は、機能性の良いシース管を安価で大量生産可能とし、該シース管は軽量化されて現場搬入や荷揚げ、間配り等の作業を効率よく行えるシース管を製作可能である等の効果を生じせしめる発明であり、本発明の産業上の利用可能性は多大なものがある。
【図面の簡単な説明】
【００６３】
【図１】本発明の実施例１を説明する平面図、側面図、断面図である。
【図２】本発明の実施例１を説明する斜視図である。
【図３】本発明の実施例１のシース管材を説明する平面図、側面図である。
【図４】本発明の実施例１に使用されるシース管材の形状例説明図である。
【図５】本発明の実施例１に使用される下部キャップの形状を示す斜視図であ          る。
【図６】本発明の実施例１を説明する斜視説明図である。
【図７】本発明の実施例１を説明する要部拡大断面図である。
【図８】本発明の実施例２を説明する平面図、側面図、断面図である。
【図９】本発明の実施例２を説明する斜視図である。
【図１０】本発明の実施例３を説明する斜視図である。
【図１１】本発明の実施例３を説明する斜視図である。
【符号の説明】
【００６４】
１  シース管材
２  下部キャップ
３  ボルト螺着用ナット
４  シース管
５  外側面
６  内側面
７ａ、７ｂ、７ｃ・・・  略凹凸形状有したコルゲート模様或いは波形模様の                          突起  
８ａ、８ｂ、８ｃ・・・  略凹凸形状有したコルゲート模様或いは波形模様の                          突起  
９  水平方向のリブ
１０  組み込み縁部
１１  下部縁部
１２  蓋体
１３  キャップ底部
１４  カシメ
１５  下部キャップの縁部
【図１ａ】
2008031750.tif 000003
【図１ｂ】
2008031750.tif 000004
【図１ｃ】
2008031750.tif 000005
【図２】
2008031750.tif 000006
【図３ａ】
2008031750.tif 000007
【図３ｂ】
2008031750.tif 000008
【図４ａ】
2008031750.tif 000009
【図４ｂ】
2008031750.tif 000010
【図４ｃ】
2008031750.tif 000011
【図４ｄ】
2008031750.tif 000012
【図５】
2008031750.tif 000013
【図６】
2008031750.tif 000014
【図７】
2008031750.tif 000015
【図８ａ】
2008031750.tif 000016
【図８ｂ】
2008031750.tif 000017
【図８ｃ】
2008031750.tif 000018
【図９】
2008031750.tif 000019
【図１０】
2008031750.tif 000020
【図１１】
2008031750.tif 000021